(57)【特許請求の範囲】
【請求項１】
第１及び第２の開口、並びに第１及び第２の吸引ゾーンをそれぞれ部分的に画定する第１及び第２の底面を含むフレーム（２）と、
前記フレームに回転可能に取り付けられた複数のホイール（４）であって、各々が、前記ホイールの回転軸に非平行な回転軸を有する対応の複数のローラを含む複数のホイール（４）と、
ホイールと同数の複数のモータ（８）であって、各々が、前記ホイールのうちの対応の一つを回転駆動するように動作可能である複数のモータ（８）と、
前記第１及び第２の開口にそれぞれ隣接して取り付けられて、前記ホイールがすべて表面と接触しているとき、前記第１及び第２の吸引ゾーン（１２）にそれぞれ吸引力を生成する独立して制御可能な第１及び第２の吸引装置（１０）と、
前記複数のモータ（８）、並びに前記第１及び第２の吸引装置（１０）を独立して制御するようにプログラムされたコントローラ（９０）と、
前記フレームと重力ベクトルとの間の相対角を測定するために前記フレーム上に設置されたセンサと、を備え、
前記コントローラ（９０）が、前記第１及び第２の吸引装置（１０）を制御して、前記相対角の関数であるそれぞれの吸引力を生成させるようにプログラムされている、移動プラットフォーム。
【請求項２】
第１及び第２の開口、並びに第１及び第２の吸引ゾーンをそれぞれ部分的に画定する第１及び第２の底面を含むフレーム（２）と、
前記フレームに回転可能に取り付けられた複数のホイール（４）であって、各々が、前記ホイールの回転軸に非平行な回転軸を有する対応の複数のローラを含む複数のホイール（４）と、
ホイールと同数の複数のモータ（８）であって、各々が、前記ホイールのうちの対応の一つを回転駆動するように動作可能である複数のモータ（８）と、
前記第１及び第２の開口にそれぞれ隣接して取り付けられて、前記ホイールがすべて表面と接触しているとき、前記第１及び第２の吸引ゾーン（１２）にそれぞれ吸引力を生成する独立して制御可能な第１及び第２の吸引装置（１０）と、
前記複数のモータ（８）、並びに前記第１及び第２の吸引装置（１０）を独立して制御するようにプログラムされたコントローラ（９０）と、
接触する表面により各ホイールにそれぞれかかる垂直力を検出する複数の荷重センサと、を備え、
前記コントローラ（９０）が、前記第１及び第２の吸引装置を制御して、前記荷重センサからの出力の関数であるそれぞれの吸引力を生成させるようにプログラムされている、移動プラットフォーム。
【請求項３】
第１及び第２の開口、並びに第１及び第２の吸引ゾーンをそれぞれ部分的に画定する第１及び第２の底面を含むフレーム（２）と、
前記フレームに回転可能に取り付けられた複数のホイール（４）であって、各々が、前記ホイールの回転軸に非平行な回転軸を有する対応の複数のローラを含む複数のホイール（４）と、
ホイールと同数の複数のモータ（８）であって、各々が、前記ホイールのうちの対応の一つを回転駆動するように動作可能である複数のモータ（８）と、
前記第１及び第２の開口にそれぞれ隣接して取り付けられて、前記ホイールがすべて表面と接触しているとき、前記第１及び第２の吸引ゾーン（１２）にそれぞれ吸引力を生成する独立して制御可能な第１及び第２の吸引装置（１０）と、
前記フレームに取り付けられて前記フレームから下方へと延びる、表面摩擦の小さな第１から第３の柔軟性のスカート部（１４）と、を備え、
前記第１の吸引ゾーンの両側は前記第１と第２のスカート部とを境界としており、前記第２の吸引ゾーンの両側は前記第２と第３のスカート部とを境界としている、移動プラットフォーム。
【請求項４】
前記第１及び第２の吸引装置（１０）がそれぞれ電気ダクテッドファンである、請求項１から３のいずれか１項に記載の移動プラットフォーム。
【請求項５】
前記フレームに取り付けられたツールをさらに備え、前記ツールが、渦電流センサ、超音波センサ、カメラ、塗装ツール、レーザマーキングシステム、及びロボットアームマニピュレータからなる群より選択される、請求項１から３のいずれか１項に記載の移動プラットフォーム。
【請求項６】
前記フレームが、第３及び第４の開口、並びに第３及び第４の吸引ゾーンをそれぞれ部分的に画定する第３及び第４の底面をさらに含み、前記第１から第４の吸引ゾーンは正方形又は長方形のアレイに配置され、前記移動プラットフォームは、前記第３及び第４の開口にそれぞれ隣接して取り付けられて、前記ホイールがすべて表面と接触しているとき、前記第３及び第４の吸引ゾーンにそれぞれの吸引力を生成する第３及び第４の吸引装置をさらに備える、請求項１から３のいずれか１項に記載の移動プラットフォーム。
【請求項７】
非水平表面上でツール又はセンサを移動させるためのシステムであって、プラットフォームとコントローラ（９０）とを備えており、
前記プラットフォームが、
第１及び第２の開口、並びに第１及び第２の吸引ゾーン（１２）をそれぞれ部分的に画定する第１及び第２の底面を含むフレーム（２）と、
前記フレーム（２）に回転可能に取り付けられた複数のホイール（４）であって、各々が、前記ホイールの回転軸に非平行な回転軸を有する対応の複数のローラを含む複数のホイール（４）と、
ホイールと同数の複数のモータ（８）であって、各々が、前記ホイールのうちの対応の一つを回転駆動するように動作可能である複数のモータ（８）と、
前記第１及び第２の開口にそれぞれ隣接して取り付けられて、前記ホイールがすべて前記非水平表面と接触しているとき、前記第１及び第２の吸引ゾーン（１２）にそれぞれの吸引力を生成する独立して制御可能な第１及び第２の吸引装置（１０）と、
前記フレームと重力ベクトルとの間の相対角を測定するために前記フレーム上に設置されたセンサと、を備え、
前記コントローラ（９０）が、前記複数のモータ、並びに前記第１及び第２の吸引装置（１０）を独立して制御するようにプログラムされており、
前記コントローラ（９０）が、前記第１及び第２の吸引装置を制御して、前記相対角の関数であるそれぞれの吸引力を生成させるようにプログラムされている、システム。
【請求項８】
非水平表面上でツール又はセンサを移動させるためのシステムであって、プラットフォームとコントローラ（９０）とを備えており、
前記プラットフォームが、
第１及び第２の開口、並びに第１及び第２の吸引ゾーン（１２）をそれぞれ部分的に画定する第１及び第２の底面を含むフレーム（２）と、
前記フレームに回転可能に取り付けられた複数のホイール（４）であって、各々が、前記ホイールの回転軸に非平行な回転軸を有する対応の複数のローラを含む複数のホイール（４）と、
ホイールと同数の複数のモータ（８）であって、各々が、前記ホイールのうちの対応の一つを回転駆動するように動作可能である複数のモータ（８）と、
前記第１及び第２の開口にそれぞれ隣接して取り付けられて、前記ホイールがすべて前記非水平表面と接触しているとき、前記第１及び第２の吸引ゾーン（１２）にそれぞれの吸引力を生成する独立して制御可能な第１及び第２の吸引装置（１０）と、
接触する表面により各ホイールにそれぞれかかる垂直力を検出する複数の荷重センサと、を備え、
前記コントローラ（９０）が、前記複数のモータ、並びに前記第１及び第２の吸引装置（１０）を独立して制御するようにプログラムされており、
前記コントローラ（９０）が、前記第１及び第２の吸引装置を制御して、前記荷重センサからの出力の関数であるそれぞれの吸引力を生成させるようにプログラムされている、システム。
【請求項９】
前記第１及び第２の吸引装置（１０）がそれぞれ電気ダクテッドファンである、請求項７または８に記載のシステム。
【請求項１０】
前記フレームに取り付けられたツールをさらに備え、前記ツールが、渦電流センサ、超音波センサ、カメラ、塗装ツール、レーザマーキングシステム、及びロボットアームマニピュレータからなる群より選択される、請求項７または８に記載のシステム。
【請求項１１】
前記フレームが、第３及び第４の開口、並びに第３及び第４の吸引ゾーンをそれぞれ部分的に画定する第３及び第４の底面をさらに含み、前記第１から第４の吸引ゾーンは正方形又は長方形のアレイに配置され、前記プラットフォームは、前記第３及び第４の開口にそれぞれ隣接して取り付けられて、前記ホイールがすべて表面と接触しているとき、前記第３及び第４の吸引ゾーンにそれぞれの吸引力を生成する第３及び第４の吸引装置をさらに備える、請求項７または８に記載のシステム。
【請求項１２】
前記プラットフォームに接続されるケーブルをさらに備え、前記モータ及び前記吸引装置が前記ケーブルを介して電力を受け取る、又は、前記コントローラ（９０）が前記モータに前記ケーブルを介して制御信号を送る、請求項７または８に記載のシステム。
【発明の詳細な説明】
【技術分野】
【０００１】
本出願は、米国特許法第１１９（ｅ）項の下に、２０１１年７月１８日出願の米国仮特許出願第６１／５０９０９８号の優先権を主張する。
【背景技術】
【０００２】
本開示内容は、概して、表面上でツールを運搬するためのシステムに関し、このようなツールには、（限定されないが）非破壊評価（ＮＤＥ）に使用されるセンサが含まれる。具体的には、本開示内容は、水平でない表面上で動作できるツール運搬履帯自動車に関する。
【０００３】
航空機の胴体の表面のような非水平表面を検査するための従来技術によるシステムは、トラックベースのシステム、ツールを位置決めするための大規模なロボットマニピュレータアーム、手持ち式スキャナ、及び差動駆動履帯自動車を含んでいる。「差動駆動」という用語は、ビークルの両側の車輪をそれぞれ独立して駆動することにより旋回を行う一種のビークル運動制御を意味する。四つ以上の車輪を有するビークルでは、この種の運動制御はスキッドステアと呼ばれることもある。このようなビークルは、運動が制限され（すなわち、並行移動と回転運動を同時に行うことができない）、非ホロノミック運動システムと考えられる。
【０００４】
航空機の胴体上において、ＮＤＥ（非破壊評価）走査機器を位置決めする及び移動させるために、非ホロノミック運動履帯自動車を使用することが既知である。この走査プロセスは、所望の走査経路を達成するために、精密な位置及び配向の制御を必要とする。標準的な差動駆動ビークルは、進行方向に垂直に外力が印加されるとき、わずかに横方向にスリップする傾向がある。航空機の胴体の表面を走査する場合、通常は何らかの種類の吸引又は真空引きシステムを用いて、ビークルを表面に引き付ける必要がある。ビークルが胴体の側面上を胴体の側面に沿って水平方向に移動する際、重力という外力がビークルにかかり、ビークルを横方向にスリップさせる。差動ステアビークルは横方向の運動を直接制御することができないため、この種のビークル（すなわち、非ホロノミックなプラットフォーム）によって行われるＮＤＥスキャンは誤差を生じうる。
【０００５】
代わりにホロノミックビークルが使用される場合、所望でない運動はすべて直接修正されうる。最も一般的な種類のホロノミックビークルの構成には、メカナム（Ｍｅｃａｎｕｍ）ホイールと呼ばれる種類の車輪が使用される。メカナムホイールは、複数の個別ローラを有する種類の車輪であり、これらのローラは、ペアで使用されると、いずれの方向のビークル運動（すなわち、ホロノミック運動）も可能にする、これらの車輪は水平表面上ではうまく機能するが、斜面では所望の運動を生成するのに課題を有する。この問題は、所望の移動を行うために必要な力をサポートするためには、すべての車輪が各車輪に十分な牽引力を有さねばならないという要件に起因している。これは特に横向きの運動に当てはまる。
【０００６】
非水平表面上でツール運搬ビークルのホロノミックな運動を精密に制御することができるシステムが必要とされている。
【発明の概要】
【０００７】
本明細書に開示される実施形態は、一又は複数の非破壊検査センサ又は他のツールを運搬しながら水平及び垂直な構成において動作することができるホロノミック運動陸上ビークル（すなわち、移動プラットフォーム）である。本明細書に開示される移動プラットフォームは、各々がそれぞれ独立して制御されるモータによって駆動される四つ（又は四の倍数）のメカナムホイールを備え、独立して制御された複数の（例えば二つの）吸引装置をさらに有する。メカナムホイールはホロノミック運動を可能にし、吸引装置は非水平表面上における運動を十分に精密に制御することを容易にする。
【０００８】
ホロノミックシステムは、運動束縛を受けないシステムである。本明細書において使用される場合、制御可能な自由度が全自由度に等しい場合、ビークルはホロノミックであると考えられる。この種のシステムは、全方向に並行運動できると同時に、回転することができる。このことは、車両型ビークル、被牽引ビークル、又は車輪付き差動ステア（スキッドステア）ビークルといった、回転中はいずれの方向にも並行移動できない多くの種類の陸上ビークルとは異なっている。
【０００９】
水平表面上を移動することができるホロノミック運動ビークルが存在し、また、垂直表面を登ることができる差動ステアビークルが存在する。本明細書に開示されるビークルは、これらの能力の両方を組み合わせている。本発明のビークルは、車輪によって必要とされる横方向の力を生成することができるように、メカナムホイールにかかる常用荷重を均等にするか、又は均一に分散させるよう、吸引力生成システムを用いることにより、このような能力の組み合わせを実現する。結果として得られるプラットフォームの運動を制御することにより、非破壊走査のための多目的位置決め及び他の精密な運動制御タスクが可能になる。
【００１０】
本発明の一態様は移動プラットフォームであり、第１及び第２の開口、並びに第１及び第２の吸引ゾーンをそれぞれ部分的に画定する第１及び第２の底面を含むフレームと；前記フレームに回転可能に取り付けられた複数の車輪であって、各々が、車輪の回転軸に非平行な回転軸を有する複数のローラをそれぞれ含んでいる複数の車輪と；車輪の数と等しい数の複数のモータであって、各々が、車輪のうちそれぞれ一つの回転を駆動するように動作可能なモータと；第１及び第２の開口にそれぞれ隣接して取り付けられて、車輪のすべてが表面に接触するとき、第１及び第２の吸引ゾーン内にそれぞれ吸引力を発生させる、第１及び第２の制御可能な吸引装置とを備えている。
【００１１】
本発明の別の態様は、非水平表面上でツール又はセンサを移動させるためのシステムであり、プラットフォームとコントローラとを含んでいる。プラットフォームは、第１及び第２の開口、並びに第１及び第２の吸引ゾーンをそれぞれ部分的に画定する第１及び第２の底面を含むフレームと；前記フレームに回転可能に取り付けられた複数の車輪であって、各々が、車輪の回転軸に非平行な回転軸を有する複数のローラをそれぞれ含んでいる複数の車輪と；車輪の数と等しい数の複数のモータであって、各々が、車輪のうちそれぞれ一つの回転を駆動するように動作可能なモータと；第１及び第２の開口にそれぞれ隣接して取り付けられて、車輪のすべてが非水平表面に接触するとき、第１及び第２の吸引ゾーン内にそれぞれ吸引力を発生させる、第１及び第２の制御可能な吸引装置とを備えている。コントローラは、複数のモータと、第１及び第２の吸引装置とを独立して制御するようにプログラムされる。
【００１２】
本発明のさらなる態様は、構造の非水平表面上でツール又はセンサを走査する方法であり、（ａ）ツール又はセンサを運搬するホロノミック運動ビークルを、走査対象の非水平表面に接触させて配置すること；（ｂ）非水平表面と接触するホロノミック運動ビークルの車輪を保持する吸引力を発生させること；（ｃ）ステップ（ｂ）が実行されている間に、ツール又はセンサを起動すること；及び（ｄ）ステップ（ｂ）及び（ｃ）が実行されている間に、車輪の回転を制御することにより、ビークルを非水平表面に対して経路に沿って移動させることを含む。  
【００１３】
本発明の他の態様は以下に記載される。
【図面の簡単な説明】
【００１４】
【図１】一実施形態による、二つの吸引ゾーンを有するホロノミック運動履帯自動車の部品の等角図である。図示のコンポーネント及び他のコンポーネントの動作を制御するための信号を供給する電気接続は示されていない。
【図２】図１に示すアセンブリのメカナムホイールフレームに関する入力パラメータを示す図である。
【図３】図１に示す実施形態による、二つの吸引ゾーンを有する履帯自動車の底面図である。
【図４】代替え的な一実施形態による、二つの吸引ゾーンを有する履帯自動車の底面図である。
【図５】複数の動作吸引ゾーンを有する履帯自動車の一部の正面図であり、水平表面により履帯自動車のメカナムホイールにかかる力を示している。
【図６】複数の動作吸引ゾーンを有する履帯自動車の一部の正面図であり、傾斜表面により履帯自動車のメカナムホイールにかかる力を示している。
【図７】二つの吸引ゾーンを有するメカナムホイール履帯自動車の試作品の上面図である。
【図８】Ａ表面の走査がいずれの方向にも行われるアッカーマン操舵ビークルの経路を、Ｂは表面の走査が一方向にのみ行われるアッカーマン操舵ビークルの経路を、それぞれ示している。Ｃは、各走査経路の終端において追加的な横方向への運転を行う必要なく表面の走査を実行することができるホロノミック運動ビークルの経路を示している。
【図９】一端に固定のＮＤＥ被走査ヘッドが取り付けられた履帯自動車のメカナムホイールフレームの上面図である。
【図１０】一端にＮＤＥ被走査ヘッドが取り付けられた往復運動式履帯自動車のメカナムホイールフレームの上面図である。
【図１１】四つの吸引ゾーンを有する履帯自動車の底面図である。
【図１２】ホロノミック運動履帯自動車を牽引するのに適した画像ベース又はレーザベースのシステムの概略図である。
【図１３】ホロノミック運動履帯自動車を牽引するのに適したモーションキャプチャシステムの概略図である。
【図１４】非破壊検査センサ又はセンサアレイを運搬するホロノミック運動ビークルを用いる航空機の胴体の検査システムを示している。
【図１５】さらなる実施形態による、非水平表面上においてホロノミック運動履帯自動車の運動を制御するためのシステムを示すブロック図である。
【００１５】
以下に図面について説明する。複数の異なる図面において、類似の要素は同じ参照番号を有している。
【発明を実施するための形態】
【００１６】
非水平表面上を走行できる履帯自動車の様々な実施形態を以下に開示する。開示されるビークルは、それぞれが、四つのメカナムホイールを有するプラットフォームと、表面に対する十分な牽引力をもってプラットフォームを保持するための吸引力又は真空生成システムとを備える。しかしながら、プラットフォームは、４のいずれかの倍数（例えば、４、８、１２など）のメカナムホイールを有してもよい。開示される特定の実施形態は、ビークルが走行する表面を検査するための一又は複数の非破壊検査センサを運搬するが、本明細書に開示される実施形態は、別の構成として他の種類のツール（例えば、整備又は塗装作業に必要なツール）を運搬することができる。
【００１７】
メカナムホイールビークルはホロノミックなシステムであり、これは、回転すると同時にいずれの方向にも移動可能であることを意味する。これは、車輪の形状により可能である。メカナムホイール式ビークルの標準的な構成は、四つのメカナムホイール（二つの種類「Ａ」と二つの種類「Ｂ」）を有する。メカナムホイールは、一方の対角線上に種類「Ａ」のペアを有し、他方の対角線上に種類「Ｂ」のペアを有するように配置され、各ホイールはビークルの中心を通る線に直交する車軸を有する。種類「Ａ」のメカナムホイール上のローラの軸は、種類「Ｂ」のメカナムホイール上のローラの軸に直角である。
【００１８】
このようなメカナムホイールを有するビークルは、各ホイールの速度及び回転方向を変化させることにより、いかなる方向にも移動させることができ、且つ旋回させることができる。例えば、四つのホイールすべてを同じ速度で同じ方向に回転させることにより前後運動が生じ、片側のホイールを同じ速度で回転させ、反対側のホイールを反対方向に回転させることによりビークルが回転し、さらには種類「Ａ」のホイールを同じ速度で、種類「Ｂ」のホイールとは反対方向に回転させることにより横方向への移動が生じる。
【００１９】
図１は、一実施形態による、四つのメカナムホイールと二つの吸引ゾーンとを有するホロノミック運動履帯自動車の部品を示す。図示のコンポーネントの動作を制御するための信号を供給する電気接続は示されていない。このホロノミック運動プラットフォームは、それぞれの車軸６によりフレームに取り付けられた四つのメカナムホイール４（二つの種類「Ａ」及び二つの種類「Ｂ」）を有するフレーム２を備え、さらに独立して制御される四つのステッパモータ８（ホイール毎に一つ）を備える。メカナムホイール４は、一方の対角線上に種類「Ａ」のペアを有し、他方の対角線上に種類「Ｂ」のペアを有するように配置され、それぞれが、ビークルの中心を通る線に直交する車軸６を有する。各ステッパモータ８は、対応するホイール４の回転を制御する。
【００２０】
図１に示す実施形態は、さらに、フレーム２の中央部の、前輪と後輪との中間に、横並びに配置された二つの吸引装置１０を有する。この特定の実施形態では、各吸引装置はそれぞれ、フレームに形成されたそれぞれの開口（図１には示さない）に取り付けられる電気ダクテッドファンである。各電気ダクテッドファン１０は、軸を中心に回転可能なファン、ファンを取り囲むダクト、及びフレーム下部のそれぞれのチャネル又は空間（以後「吸引ゾーン」と呼ぶ）からファンダクトに空気を押し上げることで、対応する吸引ゾーンに吸引力を生じさせるようにファンを一方向に回転駆動する電気モータを備える。開示される実施形態は垂直なファンの軸を有しているが、垂直に取り付けることはこの設計に重要ではない。例えばビークルの下からファンへの空気入力を導くために湾曲したダクトが用いられるなど、ファンが他の方法で取り付けられている場合も、吸引力を生成することができる。ファンの軸がフレームに垂直である現行の構成は、主にファンの取り付けに便利であるという理由で選択された。この構成のファンは、ビークルを表面に接触した状態に維持することを助けるいくらかの推進推力を供給するが、ファン及び吸引ゾーンがビークルの下で生成する吸引力に比べるとこの推力の量は小さい。
【００２１】
二つの吸引ゾーンの両側は、長手方向に延びる表面摩擦の小さい柔軟なスカート部１４を境界としている。このスカート部１４はフレーム２に取り付けられており、中央のスカート部は二つの吸引ゾーンを分離する共通の境界壁を形成している。スカート部は、それらの底縁が、自動車の走行する表面に接するように、下方に向かって延びていてよい。
【００２２】
図１に示さないが、履帯自動車は、ビークル上のステッパモータ８及び電気ダクテッドファン１０に電力を供給するケーブルにより、サポートシステムにつなぐことができる。ケーブルは、ステッパモータ及び電気ダクテッドファンの動作を制御するコントローラ（例えば、コンピュータ）からの制御信号も提供する。履帯自動車は、さらに、フレーム２に取り付けられた変換装置（図示しない）を備える。変換装置は、コントローラ（図示しない）からのＵＳＢ信号を、パルス幅変調（ＰＷＭ）信号に変換して、電気ダクテッドファンモータを制御する。
【００２３】
代替え的な実施形態によれば、つなぎケーブルを介して電力を受け取るのではなく、履帯自動車はバッテリにより給電される。また、モータコントローラは、つなぎケーブルにより運搬される制御信号によりビークルを管理するための陸上ベースのコンピュータを使用するのではなく、履帯自動車の車上マイクロプロセッサ又はマイクロコンピュータでもよい。代替え的に、履帯自動車の車上モータは、非車上コントローラへの無線接続を介して制御することができる。
【００２４】
図１に示す履帯自動車は四つのメカナムホイールを利用する。各メカナムホイール４は、ホイールの外周に回転可能に取り付けられた複数のテーパ付きローラ１６を有し、各ローラはその軸を中心にして自由に回転することができる。これらのローラはホイールの平面に対して４５度の角度に置かれた回転軸を有する。種類「Ａ」のメカナムホイールは左回りのローラを有し、種類「Ｂ」のメカナムホイールは右回りのローラを有する。ビークルは、各ホイールの速度及び回転方向をを変化させることにより、いかなる方向にも移動させることができ、且つ旋回させることができる。
【００２５】
図２に示すように、（コンピュータ制御又は人間による遠隔操作制御のいずれかによる）ナビゲーション制御の観点から、システムへの入力は運動方向ベクトル
0005957078.tif 000002
（成分Ｖｔｙ及びＶｔｘ）と、回転速度ωである。等式（１）〜（６）（下記参照）は、必要とされるホイール回転速度を生成するための入力として
0005957078.tif 000003
とωの変数を使用する。ここで、Ｖｗｎは個々のホイールのベロシティ（ｎは１から４の整数であり、四つのホイールのうちのｎ番目であることを示す）であり、Ｄ及びＬは、ビークル上におけるホイールの中心のロケーションを規定するビークルの寸法である。変数ａ及びｂは、回転中心ＣＲを特定するために実行時に修正することが可能なユーザ制御される独立変数である。（図２において、回転中心はビークルの中心に示されているが、ユーザは回転中心をいずれに特定することもできることに注意されたい。）
Ｖｗ１＝Ｖｔｙ−Ｖｔｘ＋ω（ａ＋ｂ）          （１）
Ｖｗ２＝Ｖｔｙ−Ｖｔｘ−ω（ａ’＋ｂ）          （２）
Ｖｗ３＝Ｖｔｙ−Ｖｔｘ−ω（ａ’＋ｂ’）          （３）
Ｖｗ４＝Ｖｔｙ＋Ｖｔｘ＋ω（ａ＋ｂ’）          （４）
ａ’＝Ｄ−ａ          （５）
ｂ’＝Ｌ−ｂ          （６）
【００２６】
ビークルのフレーム２は、ホイールのすべてをスリップすることなく表面に接触した状態に保つために、何らかの量の弾性コンプライアンスを必要とする。四つのホイールのうちの三つしか表面に接触して牽引力を生成性していない場合、ビークルは運動入力に適切に応答しない。ホイールの接触問題に対処する一つの方法は、捩れ剛性の小さなフレームをつくることである。別の方法は、ホイールの一又は複数のためのサスペンションを設けることである。メカナムホイールビークルが傾斜した表面、垂直表面、又は逆さまの表面の上で適切に機能するために対処が必要な別の問題が存在し、特に適切なビークル運動を生成するために、ホイールにかかる力が、必要とされる牽引力を生成するために十分であることが必要である。ホイールのうちの一又は複数がスリップ又は失速を始めると、ビークルのその一角に必要とされる力が生成されず、その結果ビークル全体の運動が望ましくないものになる。
【００２７】
この問題を解決するために、本明細書に開示される履帯自動車には複数の吸引力又は真空生成装置が設けられ、それらはフレームの対応する開口に取り付けられて、独立して制御することが可能な吸引ゾーンを生成する。これらの独立して制御される吸引ゾーンにより、システムは、接触表面によりホイールにかかる力の量を制御することができる。
【００２８】
図３は、図１に示した履帯自動車の底面図である。フレーム２の下部は、二つの低圧領域１２（本明細書では「吸引ゾーンと呼ぶ）を提供するような形状を有し、非水平表面に適合する、表面摩擦の小さなスカート部（前述。図３には示さない）を有している。各電気ダクテッドファン１０は、フレーム内の対応する開口内に設置されており、フレーム底面とスカート部とにより画定される対応の吸引ゾーン１２と流体連通する。ファン１０がオンにされると、各ファンにより空気が上方へ押し上げられることにより、成型された吸引ゾーン１２から空気が吸引される。電気ダクテッドファン１０は、対応の吸引ゾーン１２の下部の表面に様々な吸引力を印加するために、独立して制御することができる。
【００２９】
図４に示す代替え的な実施形態によれば、吸引ゾーン１２は、フレームの下に横並びで配置される代わりに、前後に配置されている。このような設計により、履帯自動車は垂直方向の走査に最適となり、一方図３に示す吸引ゾーンの構成は、水平方向の走査に最適な履帯自動車を提供する。
【００３０】
ビークルの下の種々のゾーンの吸引を制御できることにより、ホイールに対し、制御対象表面に垂直な方向に荷重をかけることができ、これは等式Ｆ＝μＮ（Ｆは横方向の力、μは摩擦係数、Ｎは垂直力）用いてホイールにかかる横方向の力を増大させることを可能にする。
【００３１】
単一の真空生成要素（例えば、電気ダクテッドファン）により動力供給される吸引ゾーンを一つしか有さない履帯自動車を構成しようとしても、結果として傾斜表面によりビークルにかかる力は、下方のホイールにかかる垂直力及び横方向の力が、上方のホイールにかかる対応の力よりずっと大きいために、その表面上での運動を精密に制御することには貢献しない。このようなシステムに結果として生じる問題は、システムが、傾斜表面又は垂直表面上において適切に動かないということである。ファンは、ビークルを傾斜表面上に保持するために十分な吸引力を生成するが、システムが吸引ゾーンを一つしか有さないことにより、ビークルの左側及び右側にそれぞれ位置するホイールに不均等な摩擦力及び不均等な垂直力が生成される。傾斜表面の低い位置に配置されるホイールは、常に、高い位置に配置されるホイールより大きな垂直牽引力を有する。
【００３２】
重要なのは、不均等なホイール力により先述の運動制御問題が生じるということがである。この問題を解決するためには、力を均衡させる方法を見つけることが必要である。力は、図３及び４に示すように少なくとも二つの吸引ゾーン１２を含むように履帯自動車を設計することにより均衡される。  
【００３３】
図５は、  図３に示す履帯自動車のメカナムホイール４に対して、水平表面によってかかる力を示す図である。それぞれの電気ダクテッドファン１０により生成される吸引力が均等であるとき、ビークルの左側と右側のメカナムホイール４にかかる垂直力は等しく、すなわちＮ１＝Ｎ２である。
【００３４】
図６は、  図３に示す履帯自動車のメカナムホイール４に対して、傾斜表面によってかかる力を示す図である。電気ダクテッドファン１０の速度を制御して、それぞれの吸引ゾーン１２に異なる吸引力をつくり出すことができる。高い位置に配置された電気ダクテッドファンにより生成される吸引力が、低い位置に配置された電気ダクテッドファンにより生成される吸引力より大きいとき、傾斜面によってビークルの左側と右側のメカナムホイール４にかかる摩擦力及び垂直力が均等に、すなわちＦ１’＝Ｆ２’、且つＮ１’＝Ｎ２’となる。このように、上側のゾーン内の吸引力を下側のゾーン内の吸引力に対して増大させることができ、それにより上方のホイールにかかる垂直力が増大する。それぞれの電気ダクテッドファンは、ビークルの位置する非水平表面の傾斜角の関数として制御される。ゾーン１２間の均衡は、フレーム２に取り付けられてフレームと重力ベクトルｍｇとの間の相対的角度を測定する、電子傾斜計センサのようなセンサ（図示しない）を使用することにより制御することができる。電子傾斜計センサはコントローラに傾斜角データを返し、コントローラはこのデータを使用して電気ダクテッドファンを制御する。
【００３５】
図１及び３に示す実施形態は、独立して制御される二つの吸引ゾーン１２を有し、このゾーン内の吸引力は電気ダクテッドファン１０により提供される。他の吸引力生成装置を使用してもよい。さらに、ビークルには左右の吸引ゾーンの複数のペアを設けることができる。例えば、必要に応じて、四つの吸引ゾーン１２からなる正方形又は長方形のアレイを実施してもよい。このような構成は図１１に示される。
【００３６】
図７は、共通のスカート部１４によって分離される二つの吸引ゾーン１２を有するメカナムホイール式履帯自動車の試作品の底面図であり、共通スカート部１４は、長手軸に沿ってフレームの底面を二つに分けている。この特定の構成では、上のスカート部１４と中央のスカート部１４との間にある底面の上側半分で構成される平坦な中央表面３６に開口があり、この開口の中に電気ダクテッドファンが取り付けられる。平坦な中央表面３６は、前方及び後方の凸状表面３８及び４０により側面を保護される。各凸状表面３８及び４０は、ビークルが移動する表面の対向部分と共に対応するのど部を形成する空力的流線形表面である。このように、フレームの曲線的底面と、スカート部と、ビークルの移動する表面とは、対応する電気ダクテッドファンにより所望の吸引力を生成するために十分な空気を吸引することができるそれぞれのチャネルを画定する。各チャネルの、凸状表面３８の最下点と凸状表面４０の最下点との間に位置する部分は、それぞれの吸引ゾーン１２を形成する。図７に示す特定の実施形態では、吸引ゾーンは中央のスカート部により分離されており、ダクテッドファンが取り付けられている対応の開口と流体を連通させる。これらの開口は、吸引ゾーンから空気が流れ易くなるように、その最下部に向かって概ね円錐形を有することができる。
【００３７】
図７に示す本体下部の表面形状は例示的実装態様であることを理解されたい。本体下部表面は、ビークルの正面及び後部からビークル下部の空間を通って電気ダクテッドファンのダクトを上昇する気流の形成に貢献するような、様々な形状を有することができる。  
【００３８】
本明細書に開示されるシステムは、メカナムホイール式プラットフォームの方向制御の利点と、傾斜表面、垂直表面、又は逆さまの表面上で作業できる能力とを組み合わせている。検査表面に付着する検査システム、又は大規模なロボット式マニピュレータアームを使用するシステムと比較して、履帯自動車は、検査できる領域の種類に大きな柔軟性を有し、オペレータ及び検査対象オブジェクトにとって高い安全性を有する。他のシステムを凌駕する本明細書に開示されるシステムの主な利点は、（制御された吸引システムにより）どのような表面上においても、滑ることなくビークルの位置を保持する能力と、（ホロノミック運動プラットフォームにより）いずれの方向にも移動できる能力とを組み合わせていることである。
【００３９】
水平表面、傾斜表面、及び垂直表面（さらには可能であれば逆さまの表面）上で移動できるホロノミック運動システムにより、検査及び他の種類の用途のための多目的運動制御が可能になる。想定される検査用途の種類の場合、ホロノミック運動制御により、システムオペレータは、アッカーマン操舵装置を有する標準的な非ホロノミックビークルと比較して、経路計画の効率を上げることができる。アッカーマン操舵装置は、車両のようなビークルに見られる旋回を制御するための操舵システムの一種であり、この装置では、各ホイールの車軸から延びるベクトルが同じ点で交差する。この種のビークルは非ホロノミック運動を行う。
【００４０】
図８Ａは、双方向に表面走査２０を行うことができる（すなわち、ビークルは前後いずれにも移動することができる）アッカーマン操舵式ビークルの経路を示し、図８Ｂは、同じビークルが一方向にのみ走査可能な（すなわち、ビークルは前方に移動できるが後方に移動できない）場合を示している。上記のいずれの場合も、走査経路の末端において、ビークルを次の通行のために適切に位置合わせするために追加的な操作を必要とする（図８Ａ及び８Ｂの点線２２及び２４によってそれぞれ示される）。これとは異なり、前方又は後方に向かって走査を行うことができる状況について、ホロノミックシステムは、図８Ｃに示すように、横方向に並行移動することにより、経路２６を介して一の走査セグメント２０から次のセグメントの始点に直接移動することができる。ホロノミックビークルは、方向を変えるときも、取り付けられたＮＤＩ（非破壊検査）センサの、検査表面に対する配向を維持することができる。このような能力は、構造的端部近傍でも検査データが収集され続け、ビークルが次の通行のために方向を変えるときに検査時間が無駄にならないために、有利である。非ホロノミックビークルは、経路を修正するために横方向に並行移動することができない。このことは、経路の形状の制御に重要である。
【００４１】
前方への走査方向のみが可能である状況では、本明細書に開示される種類のメカナムホイール式ビークルは、  図８Ｃに示すように、（経路２６に沿って）下方へと並行移動すると同時に１８０度回転するようにビークルを制御することにより、それぞれ１８０度旋回することができる。ホロノミックビークルの場合、外的な基準フレームを用いて運動方向（例えば、「下方へ」）が規定可能であり、このフレームは次いで、ビークルの位置及び配向が追跡されるとき、ビークルを中心とする座標に変換可能であることに注意されたい。
【００４２】
傾斜表面、垂直表面、又は逆さまの表面上で上記のような回転操作を行う間、メカナムホイール式ビークルの下の複数のゾーン内の吸引力は、垂直方向のホイール荷重が変化するにつれて、制御ソフトウェア又はハードウェアにより自動的に変更される。吸引力の変更は、ホイールにかかる荷重を均衡させるために実行される。また、種々のゾーンの吸引力は、ビークルが湾曲表面上を移動するにつれて変化する。いくつかの実施形態では、傾斜計のような重力ベクトル感知装置からのデータを使用することにより、各ゾーンの吸引力の相対量が制御される。他の実施形態では、各ホイールに荷重センサを使用して、必要とされる吸引の量を決定してもよい。
【００４３】
本明細書に開示される履帯自動車は、複数の用途を有する。一応用例では、履帯自動車は、渦電流センサを運搬するが、超音波センサといった他の種類のセンサを運搬してもよい。センサは単一の感知要素でも、感知要素のアレイでもよい。カメラ、ツール、塗装装備、レーザマーキングシステム、ロボットアームマニピュレータ、又は他のデバイスもプラットフォームによって運搬されてよい。図９は、フレームの一端に取り付けられた固定の超音波センサユニット２８を有する履帯自動車の一バージョンである。超音波センサユニット２８は、ビークルが進む方向に向かってその下の表面を走査することができる。超音波センサは単一の超音波感知要素でも、超音波感知要素のアレイでもよい。図１０は、フレームの一端に固定されたトラック３２上に取り付けられた走査超音波センサユニット３０を有する履帯自動車の別のバージョンである。超音波センサユニット３０は、トラック３２に沿って前後しながら、ビークルが静止している間にその下の表面の一横断エリアを走査することができる。この場合も、超音波センサは、単一の感知要素でも、感知要素のアレイでもよい。ビークルが、前方に向かって段階的に移動し、一段階移動するごとに一時停止することにより、超音波センサユニット３０は、横断ラインに沿って走査することができる。別の構成では、履帯自動車及び走査ヘッドの移動を制御することにより一表面エリアを他のパターンで走査するようにコントローラをプログラムすることができる。
【００４４】
本明細書に開示されるビークルがターゲットとする一の用途は、航空機の胴体の上を移動する履帯自動車を利用する航空機の非破壊検査（ＮＤＩ）システムである。このシステムの要件は、ビークルが胴体の長さに沿って前方から後方へ移動する際に直線上で一定の速度を維持することである。（このようなシステムの一例は、米国特許出願第１３／１６０２３８号に詳しく記載されている。）追跡システムは、有向ビーム制御システム、画像ベースの追跡システム、又はモーションキャプチャシステムといった非機上システムとすることができる。
【００４５】
有向ビーム制御システムの場合、コンピュータ制御される機器がビームレシーバのターゲット表面上にビーム（レーザ）スポットを方向付けることにより、ビークルの位置及び配向が制御される。適切な有向ビーム制御システムは、米国特許出願第１３／２０６２６９号に記載されているものである。
【００４６】
別の実施形態によれば、追跡システムは、図１２に示す種類の局所位置決めシステムを用いる米国特許出願公開第２０１０／００８５４３７号に記載されているような、画像ベースの追跡システムである。
【００４７】
図１２に示される局所位置決めシステムは、自動（遠隔制御）ズーム能を有しうるビデオカメラ４４を備える。ビデオカメラ４４は、さらに、ビデオカメラの光学画像フィールドディスプレイ内部の一点の精密な位置確認を容易にする一体型の十字カーソル生成器を含むことができる。ビデオカメラ４４は、コンピュータ４８により制御されるパンチルト機構４６上に支持される。パンチルト機構４６は、垂直なアジマス（パン）軸と水平な仰角（チルト）軸とを中心とする選択された角度にビデオカメラ４４の位置を調節するように制御される。三脚４５（又はパンチルト機構を取り付ける他のプラットフォーム）の固定の座標系を基準としてカメラの配向を説明する方向ベクトルは、アジマス角及び仰角と、カメラが対象点に焦点を当てたときの光学場の十字マーカの中心の位置とに基づいて決定される。この方向ベクトルは、カメラのレンズから延びてターゲットオブジェクト４２上の一のロケーションと交差するライン４３と考えることができる。図１２の局所位置決めシステムは、米国特許第７８５９６５５号に記載されている。
【００４８】
ビデオカメラ４４及びパンチルト機構４６はコンピュータ４８によって操作される。コンピュータ４８は、ビデオ／制御ケーブル４７を介してビデオカメラ４４及びパンチルト機構４６と通信する。別の構成として、コンピュータ４８は、無線通信経路（図示しない）によりビデオカメラ４４及びパンチルト機構４６と通信してもよい。
【００４９】
コンピュータ４８に、三次元（３−Ｄ）ローカライゼーションソフトウェアをローディングすることができる。３−Ｄローカライゼーションソフトウェアは、ターゲットオブジェクト４２（例えば、履帯自動車）上に離れて位置する複数の較正点を使用して、ターゲットオブジェクト４２に対するビデオカメラ４４のロケーション（位置及び配向）を規定することができる。較正点は、ターゲットオブジェクト４２に対するカメラの位置及び配向の値を求めるため、パンチルト機構４６のアジマス角及び仰角と併せて使用することができる。
【００５０】
レーザ距離計（図示しない）をカメラ４４に取り付けて、方向ベクトル４３と位置合わせすることができる。レーザ距離系は、ターゲットオブジェクト４２（例えば、検査ビークル）までの距離を測定するように構成される。レーザ距離計は、ターゲットオブジェクトによって反射されたレーザビームに応答して検出されるレーザ光に基づいて距離を演算するように構成されたレーザ及びユニットを有することができる。
【００５１】
ターゲットオブジェクト４２に対するビデオカメラ４４の位置及び配向が決定されて、カメラ姿勢変換行列が生成されたら、カメラパンデータ（アジマス軸を中心としたビデオカメラ４４の回転角度）とチルトデータ（仰角を中心としたビデオカメラ４４の回転角度）とを、ビデオカメラ４４の算出された位置及び配向と併せて使用することで、ターゲットオブジェクトの座標系内において、ターゲットオブジェクト４２上の任意の対称点のＸ、Ｙ、及びＺ座標を決定することができる。
【００５２】
さらなる代替例によれば、追跡システムは  図１３に示す米国特許第７６４３８９３号に記載の種類のモーションキャプチャシステムでもよい。このようなモーションキャプチャシステムを使用することにより、ＮＤＩセンサ５２、照明、及び逆反射マーカ（図示しない）を運搬するホロノミック運動履帯自動車５０は、検査対象表面（例えば、航空機の翼５１の表面）上を走行する際に、複数の非車上カメラ５４を用いて追跡可能である。図１３に示す実施形態のモーションキャプチャプロセッサ５６は、モーションキャプチャカメラ５４のすべてのインスタンスからリアルタイム画像情報を収集し、データを処理し、専用又はネットワーク接続に沿って履帯ナビゲーション及び制御コンピュータ５８に処理済みのデータを送る。履帯自動車５０の位置及び配向は、有線又は無線の制御リンク（点線の矢印で示す）を介して履帯ナビゲーション及び制御コンピュータ５８によって制御される。このような制御はモーションキャプチャプロセッサ５６から受け取られた処理済みデータに基づいて行われる。
【００５３】
図１４は、非破壊検査システム６２がホロノミック運動検査ビークル６４を使用して航空機の胴体７８を検査する検査環境６０を示している。ビークル６４は、非破壊検査センサ又はセンサアレイ６５を運搬する。ビークルが胴体７８の表面上を移動するとき、センサ又はセンサアレイ６５が、従来の方式により異常又は欠陥を探して胴体表面全体をスキャンする。
【００５４】
ビークル６４は、さらに、表面に光学的ターゲット（図示しない）が取り付けられる構造６６と、フレキシブルケーブル８２の端部を固定するコネクタ（図示しない）とを備える。光学的ターゲットは、ビークル６４の位置及び配向の決定に使用されるデータを獲得するために、位置検出システム７０及び７２と共に使用することができる。各位置検出システム７０、７２は、カメラ、レーザ距離計及びパンチルトユニットを備えることができる。このような位置検出システムの機能性については、図１２を参照して上述した。位置検出システム７０、７２は、それぞれのケーブル及びネットワークスイッチ７６を介して、獲得したデータをコントローラ７４に送る。コントローラ７４は、位置検出システムから受け取ったデータに基づいて検査ビークル６４の位置及び配向を決定するようにプログラムされたコンピュータ又はプロセッサを含むことができる。
【００５５】
ビークル６４は、柔軟性のブーム８０により支持されるケーブル８２を含む支持システムに接続される。柔軟性のブーム８０は、移動フレーム８４に取り付けられる。ケーブル８２は、選択的に、リール８８からたぐり出す、又はリール８８に巻きつけることができ、検査ビークル６４が胴体表面から外れた場合にケーブルが検査ビークル６４を支持するテザーとして機能するようなたるみの量が維持される。ケーブル８２は、さらに、地上の電源（図示しない）から、検査ビークル６４上のステッパモータ及び電気ダクテッドファンに電力を供給するための線と、センサデータをコントローラ７４に（電気ケーブル８６を介して）通信するための線とを含むことができる。
【００５６】
図１５は、さらなる実施形態による、非水平表面上においてホロノミック運動履帯自動車の移動を制御するためのシステムのコンポーネントを示す。ビークル位置コントローラ９０は、位置検出システム９２からビークルの位置及び配向を表すデータを、センサ（群）９４からデータを、それぞれ受け取る。センサ（群）９４は、例えば、ビークルの傾斜角を表すデータを提供する傾斜計又は各ホイールにかかる荷重を表すデータを提供する対応のセンサを含むことができる。コントローラ９０は、上方を処理して：（１）位置／配向データの関数としてステッパモータ８を制御し、（２）センサデータの関数として電気ダクテッドファン（ＥＤＦ）１０を制御する。
【００５７】
本明細書に開示される履帯自動車は、多くの潜在的な使途を有する多目的運動プラットフォームである。上述のＮＤＩ履帯自動車の用途の他に、この種のシステムを用いて検査、整備、及び塗装といった他のタスクを行うことができる。
【００５８】
種々の実施形態を参照して本発明を説明したが、当業者であれば、本発明の範囲から逸脱することなく様々な変形例が可能であること、及びその要素を同等物に置換することが可能であることを理解するであろう。加えて、本発明の基本的な範囲から逸脱することなく、本発明の教示に多数の修正を加えて特定の状況に適応させることが可能である。したがって、本発明は、本発明を実行するために考慮されるベストモードとして、開示される特定の実施形態に限定されることはない。
また、本発明は以下に記載する態様を含む。
（態様１）
第１及び第２の開口、並びに第１及び第２の吸引ゾーンをそれぞれ部分的に画定する第１及び第２の底面を含むフレーム（２）と、
前記フレームに回転可能に取り付けられた複数のホイール（４）であって、各々が、前記ホイールの回転軸に非平行な回転軸を有する対応の複数のローラを含む複数のホイール（４）と、
ホイールと同数の複数のモータ（８）であって、各々が、前記ホイールのうちの対応の一つを回転駆動するように動作可能である複数のモータ（８）と、
前記第１及び第２の開口にそれぞれ隣接して取り付けられて、前記ホイールがすべて表面と接触しているとき、前記第１及び第２の吸引ゾーン（１２）にそれぞれ吸引力を生成する第１及び第２の制御可能な吸引装置（１０）と
を備える移動プラットフォーム。
（態様２）
前記複数のモータ（８）、並びに前記第１及び第２の吸引装置（１０）を独立して制御するようにプログラムされたコントローラ（９０）をさらに備える、態様１に記載のプラットフォーム。
（態様３）
前記フレームと重力ベクトルとの間の相対角を測定するために前記フレーム上に設置されたセンサをさらに備え、前記コントローラが、前記第１及び第２の吸引装置（１０）を制御して、前記相対角の関数であるそれぞれの吸引力を生成させるようにプログラムされている、態様２に記載のプラットフォーム。
（態様４）
接触する表面により各ホイールにそれぞれかかる垂直力を検出する複数の荷重センサをさらに備え、前記コントローラが、前記第１及び第２の吸引装置を制御して、前記荷重センサからの出力の関数であるそれぞれの吸引力を生成させるようにプログラムされている、態様２に記載のプラットフォーム。
（態様５）
前記第１及び第２の吸引装置（１０）がそれぞれ電気ダクテッドファンである、態様１に記載のプラットフォーム。
（態様６）
前記フレームに取り付けられたツールをさらに備え、前記ツールが、渦電流センサ、超音波センサ、カメラ、塗装ツール、レーザマーキングシステム、及びロボットアームマニピュレータからなる群より選択される、態様１に記載のプラットフォーム。
（態様７）
前記フレームに取り付けられて前記フレームから下方へと延びる、表面摩擦の小さな第１から第３の柔軟性のスカート部（１４）をさらに備え、前記第１の吸引ゾーンの両側は前記第１と第２のスカート部とを境界としており、前記第２の吸引ゾーンの両側は前記第２と第３のスカート部とを境界としている、態様１に記載のプラットフォーム。
（態様８）
前記フレームが、第３及び第４の開口、並びに第３及び第４の吸引ゾーンをそれぞれ部分的に画定する第３及び第４の底面をさらに含み、前記第１から第４の吸引ゾーンは正方形又は長方形のアレイに配置され、前記プラットフォームは、前記第３及び第４の開口にそれぞれ隣接して取り付けられて、前記ホイールがすべて表面と接触しているとき、前記第３及び第４の吸引ゾーンにそれぞれの吸引力を生成する第３及び第４の吸引装置をさらに備える、態様１に記載のプラットフォーム。
（態様９）
非水平表面上でツール又はセンサを移動させるためのシステムであって、プラットフォームとコントローラとを備えており、
前記プラットフォームが、
第１及び第２の開口、並びに第１及び第２の吸引ゾーン（１２）をそれぞれ部分的に画定する第１及び第２の底面を含むフレーム（２）と、
前記フレームに回転可能に取り付けられた複数のホイール（４）であって、各々が、前記ホイールの回転軸に非平行な回転軸を有する対応の複数のローラを含む複数のホイール（４）と、
ホイールと同数の複数のモータ（８）であって、各々が、前記ホイールのうちの対応の一つを回転駆動するように動作可能である複数のモータ（８）と、
前記第１及び第２の開口にそれぞれ隣接して取り付けられて、前記ホイールがすべて前記非水平表面と接触しているとき、前記第１及び第２の吸引ゾーン（１２）にそれぞれの吸引力を生成する第１及び第２の制御可能な吸引装置（１０）と
を含み、
前記コントローラ（９０）が、前記複数のモータ、並びに前記第１及び第２の吸引装置（１０）を独立して制御するようにプログラムされる、システム。
（態様１０）
前記フレームと重力ベクトルとの間の相対角を測定するために前記フレーム上に設置されたセンサをさらに備え、前記コントローラが、前記第１及び第２の吸引装置を制御して、前記相対角の関数であるそれぞれの吸引力を生成させるようにプログラムされている、態様９に記載のシステム。
（態様１１）
接触する表面により各ホイールにそれぞれかかる垂直力を検出する複数の荷重センサをさらに備え、前記コントローラが、前記第１及び第２の吸引装置を制御して、前記荷重センサからの出力の関数であるそれぞれの吸引力を生成させるようにプログラムされている、態様９に記載のシステム。
（態様１２）
前記第１及び第２の吸引装置（１０）がそれぞれ電気ダクテッドファンである、態様９に記載のシステム。
（態様１３）
前記フレームに取り付けられたツールをさらに備え、前記ツールが、渦電流センサ、超音波センサ、カメラ、塗装ツール、レーザマーキングシステム、及びロボットアームマニピュレータからなる群より選択される、態様９に記載のシステム。
（態様１４）
前記フレームが、第３及び第４の開口、並びに第３及び第４の吸引ゾーンをそれぞれ部分的に画定する第３及び第４の底面をさらに含み、前記第１から第４の吸引ゾーンは正方形又は長方形のアレイに配置され、前記プラットフォームは、前記第３及び第４の開口にそれぞれ隣接して取り付けられて、前記ホイールがすべて表面と接触しているとき、前記第３及び第４の吸引ゾーンにそれぞれの吸引力を生成する第３及び第４の吸引装置をさらに備える、態様９に記載のシステム。
（態様１５）
前記プラットフォームに接続されるケーブルをさらに備え、前記モータ及び前記吸引装置は前記ケーブルを介して電力を受け取る、態様９に記載のシステム。  
（態様１６）
前記プラットフォームに接続されるケーブルをさらに備え、前記コントローラは前記モータに前記ケーブルを介して制御信号を送る、態様９に記載のシステム。
（態様１７）
ツール又はセンサを用いて非水平表面を走査するための方法であって、
（ａ）ツール又はセンサ運搬ホロノミック運動ビークルを、走査対象の非水平表面に接触させて配置することと、
（ｂ）前記ホロノミック運動ビークルのホイールを前記非水平表面に接触した状態で保持する吸引力を生成することと、
（ｃ）ステップ（ｂ）を実行する間に、前記ツール又はセンサを起動することと、
（ｄ）ステップ（ｂ）及び（ｃ）を実行する間に、前記非水平表面に対し、経路に沿ってビークルを移動させるように前記ホイールの回転を制御することと
を含む方法。
（態様１８）
前記ビークルのフレームと重力ベクトルとの間の相対角を測定することをさらに含み、ステップ（ｂ）が、第１の吸引ゾーンに第１の吸引力を、第２の吸引ゾーンに第２の吸引力をそれぞれ生成することを含み、前記第１及び第２の吸引力が、前記相対角の測定値の関数である大きさの差を有している、態様１７に記載の方法。
（態様１９）
前記接触表面により前記ビークルの各ホイールにかかる垂直力を測定することをさらに含み、ステップ（ｂ）が、第１の吸引ゾーンに第１の吸引力を、第２の吸引ゾーンに第２の吸引力をそれぞれ生成することを含み、前記第１及び第２の吸引力が、前記垂直力の測定値の関数である大きさの差を有している、態様１７に記載の方法。
（態様２０）
前記ホロノミック運動ビークルは、前記ホロノミック運動ビークルが移動するときに前記非水平表面を走査して、前記非水平表面の及び／又は前記非水平表面下の一体性を示す電気信号を生成するセンサ又はセンサアレイを運搬する、態様１７に記載の方法。
【図１】
0005957078.tif 000004
【図２】
0005957078.tif 000005
【図３】
0005957078.tif 000006
【図４】
0005957078.tif 000007
【図５】
0005957078.tif 000008
【図６】
0005957078.tif 000009
【図７】
0005957078.tif 000010
【図８Ａ】
0005957078.tif 000011
【図８Ｂ】
0005957078.tif 000012
【図８Ｃ】
0005957078.tif 000013
【図９】
0005957078.tif 000014
【図１０】
0005957078.tif 000015
【図１１】
0005957078.tif 000016
【図１２】
0005957078.tif 000017
【図１３】
0005957078.tif 000018
【図１４】
0005957078.tif 000019
【図１５】
0005957078.tif 000020